(57)【要約】【課題】  電源の瞬断によってオプション装置の電源が落ちきる前に復帰してしまうこと防止する。【解決手段】  操作部５００が電源部７００による電源供給状態をオン状態からオフ状態に切り替えるための操作を受け付けたことに応じて、操作を受け付けてからの経過時間をタイマ部８００が計時し、タイマ部８００が所定時間の経過を計時した場合に、電源部７００による電源供給状態をオン状態からオフ状態に切り替えるよう制御部１１０が電源部７００を制御する。【選択図】  図１
2009223384.tif 000002
【特許請求の範囲】
【請求項１】
電源手段と、
該電源手段を制御可能な制御手段と、
前記電源手段による電源供給状態を切り替えるためのスイッチ手段と、
前記スイッチ手段が前記電源供給状態をオン状態からオフ状態に切り替えるための操作を受け付けたことに応じて、前記操作を受け付けてからの経過時間を計時するタイマ手段と、
前記タイマ手段が所定時間の経過を計時した場合に、前記電源手段による電源供給状態をオン状態からオフ状態に切り替えるよう前記電源手段を制御する制御手段と、
を有することを特徴とする情報処理装置。
【発明の詳細な説明】
【技術分野】
【０００１】
本発明は、情報処理装置に関する。
【背景技術】
【０００２】
近年、環境への関心の高まりとともに省電力につながる技術への対応が要求されてきている。それに伴い、今までは別電源だった各々のオプション装置も、コントローラと呼ばれる中央制御ユニットによって電源制御が可能になってきている。コントローラでは、スリープ、低電力、シャットダウン、再起動、など、省電力に結びつく様々な電源状態を作るとともに、各々のオプション装置の電源を適切に制御することが求められている。
【０００３】
オプション装置の電源を制御するケースの一つである再起動の場合、コントローラからオプション装置の電源をＯＦＦ／ＯＮ制御する必要がある。しかし、電源はアナログ波形であり、コントローラからオプション装置に電源ＯＦＦの信号を送出した後、実際に電源が落ちるまでの時間は各々のオプション装置によって異なっている。そのため、適切にＯＦＦしないとオプション電源のアナログ波形が落ちきる前に起動処理されてしまい、オプション装置が異常動作する原因になる。
【０００４】
問題のある電源状態について、波形の図を使って述べる。オプション装置を考慮せず、電源を制御するコントローラボードへのリセット信号で電源が瞬断した場合、オプション装置の電源を制御するデジタル信号波形は、ごく短時間だけＬｏ／Ｈｉｇｈ（＝ＯＦＦ／ＯＮ）される。その場合、オプション装置の電源や電荷状態によって、実際のアナログ電源波形は少しの電圧低下が起こるだけで、電源が完全におちきった状態にならずに起動してしまう。これにより、例えば画像形成装置のＵＩパネルは表示が固まったように見えてしまったり、例えば画像形成装置のプリンタエンジンは印刷動作を再開できなかったりしてしまう弊害が起こっていた。つまり、オプション装置は、電源瞬断により電源が落ちきる前に起動してしまうため、正しくハードにリセットがかからず動作が不定になることがあった。
【０００５】
電源瞬断につながる、シャットダウンと起動の制御方法について、次の先行技術がある。
【０００６】
特許文献１は、自動シャットダウン方法で、電源スイッチがＯＦＦになった時にシャットダウン処理に要する時間を計測してカウントダウンを開始し、時間経過後に電源スイッチがＯＮ状態だった場合はＣＰＵにリセットをかけることで、電源ＯＦＦせずに再起動する方法である。それに対して本提案は、リモート電源（プリンタエンジン、スキャナ、フィニッシャ等のオプション装置の電源）をＯＦＦした後にカウントダウンを開始し、オプション装置のアナログ電源波形が落ちきった後に再起動することで、オプション装置の電源を確実に落とす方法である。電源ＯＦＦをトリガにしてタイマを起動せず、リモート電源をＯＦＦしたときをトリガにしてタイマを起動する点が異なる。
【０００７】
特許文献２は、車載エンジン制御用の電源スイッチであり、２つのＣＰＵにおいて片方のＣＰＵが暴走したときに、遅延素子やウォッチドッグタイマーを用いて、もう片方のＣＰＵからリセット信号を発行し、再起動する方法である。先行技術は再起動するための一方法であるが、本提案では他のＣＰＵからリセット信号を発行するような動作は行わない。
【特許文献１】特開２００２−７３２２０号公報
【特許文献２】特許第３８８１１７７号公報
【発明の開示】
【発明が解決しようとする課題】
【０００８】
以上より、課題は、電源の瞬断によってオプション装置の電源が落ちきる前に復帰してしまうことにある。
【０００９】
課題を解決するために、タイマを用いて、オプション装置のアナログ電源波形が落ちきることを確認してから再起動する。
【００１０】
課題を解決する電源状態について、波形の図を使って述べる。オプション装置を考慮して、電源を制御するコントローラボードへのリセット信号で電源が瞬断した場合、オプション装置の電源を制御するデジタル信号波形は、Ｌｏ（＝電源ＯＦＦ）したあと、オプション装置のアナログ電源波形が落ちきるまで待ってＨｉｇｈ（＝ＯＮ）される。その場合、実際のアナログ電源波形は完全におちきった状態になって起動される。つまり、オプション装置は、電源瞬断により電源が落ちきった後に起動できるため、正しくハードにリセットをかけることができるようになる。
【課題を解決するための手段】
【００１１】
上記目的を達成するために、本発明の情報処理装置は、電源手段と、該電源手段を制御可能な制御手段と、前記電源手段による電源供給状態を切り替えるためのスイッチ手段と、前記スイッチ手段が前記電源供給状態をオン状態からオフ状態に切り替えるための操作を受け付けたことに応じて、前記操作を受け付けてからの経過時間を計時するタイマ手段と、前記タイマ手段が所定時間の経過を計時した場合に、前記電源手段による電源供給状態をオン状態からオフ状態に切り替えるよう前記電源手段を制御する制御手段とを有することを特徴とする。
【発明の効果】
【００１２】
本発明によれば、電源瞬断により電源が落ちきった後に起動できるため、正しくハードにリセットをかけることができる。
【発明を実施するための最良の形態】
【００１３】
次に、本発明の詳細を実施の形態の記述に従って説明する。
【００１４】
以下に、図面を参照して、この発明の好適な実施の形態を例示的に詳しく説明する。ただし、以下の実施の形態に記載されている構成要素はあくまで例示であり、この発明の範囲をそれらのみに限定する趣旨のものではない。
【００１５】
＜第１実施形態＞
図１は、本発明の第１実施形態にかかる情報処理装置としての画像入出力システム１００の構成を示すものである。
【００１６】
図１の画像入出力システム１００のうち制御部１１０は、リーダー部２００、プリンタ部３００、操作部５００、ＨＤＤ(ハードディスクドライブ)６００、電源部７００、タイマ部８００、スイッチ部９００と電気的に接続され、さらにネットワーク４００を介して、ホストコンピュータ４１０、４２０と接続されている。
【００１７】
リーダー部(画像入力装置)２００は、原稿画像を光学的に読み取り、画像データに変換する。リーダー部２００は、原稿を読取るための機能を持つスキャナユニット２１０と、原稿用紙を搬送するための機能を持つ原稿給紙ユニット２２０(以下フィーダと呼ぶ)とで構成される。
【００１８】
プリンタ部(画像出力装置)３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００１９】
制御部１１０は、リーダー部２００を制御して、原稿の画像データを読込み、プリンタ部３００を制御して画像データを記録用紙に出力してコピー機能を提供する。また、リーダー部２００から読取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能、送受信した画像データをＨＤＤ６００に蓄積する文書保存機能を提供する。制御部１１０は、電源部７００を制御し、リーダ２００、プリンタ部３００、操作部５００、ＨＤＤ６００などの各ユニットと、制御部１１０の電源を制御する。制御部１１０は、スイッチ部９００の状態を把握する。
【００２０】
本実施形態では、シャットダウン処理が終わった後に再起動するパターンだった場合は、オプション装置の電源が落ちきることを確認してから再起動する。
【００２１】
図２は、第１実施形態における画像入出力システム１００の動作を説明するフローチャートである。
【００２２】
ユーザから操作されるハードウェアスイッチ（ハードスイッチと呼ぶ）と、プログラム制御可能なソフトウェアスイッチ（ソフトスイッチと呼ぶ）の二系統のスイッチがあるシステムで考える。ハードスイッチとソフトスイッチがＯＮ状態で開始する。ユーザからハードスイッチをＯＦＦされると、システムはシャットダウン処理を開始する。シャットダウン処理中に、ユーザからハードスイッチをＯＮされたあと、シャットダウン処理を完了する。その後、ハードスイッチの状態を確認し、ハードスイッチがＯＮ状態だった場合は、オプション装置の電源をＯＦＦして、カウントダウンを開始する。カウントダウンの途中でハードスイッチがＯＦＦされた場合はすぐに電源断し、カウントダウンが完了した場合はソフトスイッチをＯＦＦしてフリーズ状態にし、ウォッチドッグタイマによってリセット（瞬断）し、再起動する。
【００２３】
＜第２実施形態＞
図３は、第２実施形態における画像入出力システム１００の動作を説明するフローチャートである。
【００２４】
第２実施形態では、シャットダウン処理が終わった後に再起動するパターンだった場合は、オプション電源が落ちきる時間をタイマ設定して、スリープ状態にして、タイマ割り込み（スリープ復帰要因）によって復帰する方法を述べる。この方法は、コントローラの電源とオプション装置の電源が同系統で、コントローラに供給される電源の電圧を下げないとオプション装置に供給される電源の電圧が下がらないシステムに用いることができる。
【００２５】
ユーザから操作されるハードウェアスイッチ（ハードスイッチと呼ぶ）と、プログラム制御可能なソフトウェアスイッチ（ソフトスイッチと呼ぶ）の二系統のスイッチがあるシステムで考える。ハードスイッチとソフトスイッチがＯＮ状態で開始する。ユーザからハードスイッチをＯＦＦされると、システムはシャットダウン処理を開始する。シャットダウン処理中に、ユーザからハードスイッチをＯＮされたあと、シャットダウン処理を完了する。その後、ハードスイッチの状態を確認し、ハードスイッチがＯＮ状態だった場合は、オプション装置の電源をＯＦＦして、スリープ復帰要因であるタイマを開始する。その後、スリープ状態に移行し、それに伴いオプション装置の電源がＯＦＦされる。最後にタイマによって復帰し、起動を開始する。
【００２６】
また、スリープ復帰要因が複数ある場合は、スリープ中にタイマ以外の復帰要因によって起動開始してしまうため、タイマ以外のスリープ復帰要因を無効にすることもできる。
【００２７】
＜第３実施形態＞
図４は、第３実施形態における画像入出力システム１００の動作を説明するフローチャートである。
【００２８】
第３実施形態では、起動時の電源処理について説明する。起動時にハードスイッチがＯＦＦされた場合、各デバイスの終了処理が行われた後に電源断される。しかし、HDDが起動処理されR/Wするまでの間に電源断された場合は、終了処理をしなくても電源断してもハードウェアが故障することは無い。HDDは、R/W中に電源断した場合、ヘッドがシリンダに接触して故障してしまうことがある。よって、HDDを含む終了処理をしなければいけないデバイスの起動処理が行われるまで、電源の強制断ができるようにする。
【００２９】
ユーザから操作されるハードウェアスイッチ（ハードスイッチと呼ぶ）と、プログラム制御可能なソフトウェアスイッチ（ソフトスイッチと呼ぶ）の二系統のスイッチがあるシステムで考える。ハードスイッチとソフトスイッチがＯＮ状態で開始する。まず、ソフトスイッチをＯＦＦした後に、終了処理が必要ないデバイスの起動処理が行われる。その最中にハードスイッチＯＦＦを検知した場合、電源断される。次に、ＨＤＤを含む、終了処理が必要な各デバイスの起動処理の前に、ソフトスイッチをＯＮする。ソフトスイッチをＯＮした後にハードスイッチがＯＦＦされた場合は、第１実施形態、第２実施形態などの終了処理を行う。
【図面の簡単な説明】
【００３０】
【図１】画像入出力システム１００の構成を示す図である。
【図２】第１実施形態における画像入出力システム１００の動作を説明するフローチャートである。
【図３】第２実施形態における画像入出力システム１００の動作を説明するフローチャートである。
【図４】第３実施形態における画像入出力システム１００の動作を説明するフローチャートである。
【図１】
2009223384.tif 000003
【図２】
2009223384.tif 000004
【図３】
2009223384.tif 000005
【図４】
2009223384.tif 000006